(57)【要約】      （修正有）【課題】１個の検出スイッチにより二つの部材が接近状態にあるか否か、例えば遊技機本体に対して前枠及び開閉扉が閉状態にあるか否かを検出できるようにする。【解決手段】前枠３に付勢位置と押圧位置Ｂとの間で前後方向に移動自在に設けられた検出スイッチ２５と、検出スイッチ２５を付勢位置へと付勢する付勢手段と、開閉扉１３又は遊技機本体１に設けられ且つ開閉扉１３又は前枠３を閉じたときに検出スイッチ２５を付勢手段に抗して押圧位置Ｂへと押圧する押圧部３０とを備え、検出スイッチ２５は前枠３又は開閉扉１３を閉じたときにも、検出スイッチ２５が付勢位置にあるときには遊技機本体１又は開閉扉１３を感知せず、押圧位置Ｂにあるときに遊技機本体１又は開閉扉１３を感知する感知子３１を有する。【選択図】図６
2010148910.tif 000002
【特許請求の範囲】
【請求項１】
第１部材（３）と、該第１部材（３）を挟んでその両側に遠近方向に相対移動自在に配置された第２部材（１）及び第３部材（１３）とを備えた遊技機において、前記第１部材（３）に、前記第２部材（１）と前記第３部材（１３）との一方の部材（１３）（１）側へと付勢され且つ前記第１部材（３）と前記一方の部材（１３）（１）とが接近状態にあるときに該一方の部材（１３）（１）により前記第１部材（３）側へと押圧される検出スイッチ（２５）を備え、該検出スイッチ（２５）は前記一方の部材（１３）（１）による押圧状態のときに、該第１部材（３）に接近状態にある、前記第２部材（１）と前記第３部材（１３）との他方の部材（１）（１３）を感知し、それ以外のときに前記他方の部材（１）（１３）を感知しない感知子（３１）を有することを特徴とする遊技機。
【請求項２】
遊技機本体（１）の前側に、遊技部を有する前枠（３）を開閉自在に配置し、該前枠（３）の前側に前記遊技部を視認可能に覆う開閉扉（１３）を備えた遊技機において、前記前枠（３）に付勢位置（Ａ）と押圧位置（Ｂ）との間で前後方向に移動自在に設けられた検出スイッチ（２５）と、該検出スイッチ（２５）を前記付勢位置（Ａ）へと付勢する付勢手段（２９）と、前記開閉扉（１３）又は前記遊技機本体（１）に設けられ且つ前記開閉扉（１３）又は前記前枠（３）を閉じたときに前記検出スイッチ（２５）を前記付勢手段（２９）に抗して前記押圧位置（Ｂ）へと押圧する押圧部（３０）とを備え、前記検出スイッチ（２５）は前記前枠（３）又は前記開閉扉（１３）を閉じたときにも、該検出スイッチ（２５）が前記付勢位置（Ａ）にあるときには前記遊技機本体（１）又は前記開閉扉（１３）を感知せず、前記押圧位置（Ｂ）にあるときに前記遊技機本体（１）又は前記開閉扉（１３）を感知する感知子（３１）を有することを特徴とする遊技機。
【請求項３】
前記前枠（３）に一対の案内手段（２７）を介して前記付勢位置（Ａ）と前記押圧位置（Ｂ）との間で移動自在な支持台（２８）を設け、該支持台（２８）に前記検出スイッチ（２５）を設け、前記開閉扉（１３）に、前記支持台（２８）を介して前記検出スイッチ（２５）を押圧する前記押圧部（３０）を設けたことを特徴とする請求項２に記載の遊技機。
【請求項４】
前記前枠（３）の所定位置に、前記遊技機本体（１）側へと後側に突出する保護部（３４）を設け、該保護部（３４）内に前記案内手段（２７）及び前記支持台（２８）を介して前記検出スイッチ（２５）を組み込み、前記遊技機本体（１）の所定位置に、前記前枠（３）を閉じたときに前記保護部（３４）が入る凹入部（５２）を設け、前記開閉扉（１３）から突出する前記押圧部（３０）を設けたことを特徴とする請求項３に記載の遊技機。
【請求項５】
前記案内手段（２７）は前記保護部（３４）内で取り付け部（３５）に前後方向に設けられ且つ前記支持台（２８）の被案内部（４３）に摺動自在に挿通された案内突起（４９）を有し、前記取り付け部（３５）と前記被案内部（４３）との間に付勢バネ（５１）を設けたことを特徴とする請求項２又は４に記載の遊技機。
【請求項６】
前記支持台（２８）は前記検出スイッチ（２５）を収容する収容部（４２）を有し、該支持台（２８）に、前記検出スイッチ（２５）を覆うカバー（３６）を装着し、該カバー（３６）に前記押圧部（３０）により押圧される被押圧部（４７）を設けたことを特徴とする請求項３〜５の何れかに記載の遊技機。
【発明の詳細な説明】
【技術分野】
【０００１】
本発明は、弾球遊技機等の遊技機に関し、１個の検出スイッチを使用してその両側にある二つの部材の接近、離間の状況を検出できるようにしたものである。
【背景技術】
【０００２】
遊技機、例えばパチンコ機等の弾球遊技機は、遊技機本体を構成する外枠に、遊技盤を有する前枠をヒンジを介して開閉自在に装着し、この前枠の前側に、遊技盤の遊技領域を視認可能に覆うガラス扉等の開閉扉を配置している。
【０００３】
この種の弾球遊技機では、従来から開閉扉の開放を検出する検出スイッチを設け、開閉扉が開放した場合には、その検出スイッチで検出して管理用のコンピュータに開放信号を送信して、遊技者等による開閉扉の不正な開放を監視するようにしている（特許文献１）。
【先行技術文献】
【特許文献】
【０００４】
【特許文献１】特開２００６−２２３７００号公報
【発明の概要】
【発明が解決しようとする課題】
【０００５】
従来はヒンジの近傍で前枠の前面又は開閉扉の裏面に検出スイッチを取り付けている。従って、開閉扉を開放すれば、この検出スイッチでその開放を検出することはできる。
【０００６】
従来の検出スイッチでは、開閉扉の開放は検出できるものの、前枠の開放を検出することはできない。このため遊技者等による前枠の不正な開放を検出するためには、前枠検出用の検出スイッチを別途設ける必要があり、２個の検出スイッチを必要とする等、構造的に複雑になるという欠点がある。
【０００７】
本発明は、このような従来の問題点に鑑み、１個の検出スイッチにより二つの部材が接近状態にあるか否か、例えば遊技機本体に対して前枠及び開閉扉が閉状態にあるか否かを検出できる遊技機を提供することを目的とする。
【課題を解決するための手段】
【０００８】
本発明は、第１部材３と、該第１部材３を挟んでその両側に遠近方向に相対移動自在に配置された第２部材１及び第３部材１３とを備えた遊技機において、前記第１部材３に、前記第２部材１と前記第３部材１３との一方の部材１３，１側へと付勢され且つ前記第１部材３と前記一方の部材１３，１とが接近状態にあるときに該一方の部材１３，１により前記第１部材３側へと押圧される検出スイッチ２５を備え、該検出スイッチ２５は前記一方の部材１３，１による押圧状態のときに、該第１部材３に接近状態にある、前記第２部材１と前記第３部材１３との他方の部材１，１３を感知し、それ以外のときに前記他方の部材１，１３を感知しない感知子３１を有するものである。
【０００９】
別の本発明は、遊技機本体１の前側に、遊技部を有する前枠３を開閉自在に配置し、該前枠３の前側に前記遊技部を視認可能に覆う開閉扉１３を備えた遊技機において、前記前枠３に付勢位置Ａと押圧位置Ｂとの間で前後方向に移動自在に設けられた検出スイッチ２５と、該検出スイッチ２５を前記付勢位置Ａへと付勢する付勢手段２９と、前記開閉扉１３又は前記遊技機本体１に設けられ且つ前記開閉扉１３又は前記前枠３を閉じたときに前記検出スイッチ２５を前記付勢手段２９に抗して前記押圧位置Ｂへと押圧する押圧部３０とを備え、前記検出スイッチ２５は前記前枠３又は前記開閉扉１３を閉じたときにも、該検出スイッチ２５が前記付勢位置Ａにあるときには前記遊技機本体１又は前記開閉扉１３を感知せず、前記押圧位置Ｂにあるときに前記遊技機本体１又は前記開閉扉１３を感知する感知子３１を有するものである。
【発明の効果】
【００１０】
本発明では、１個の検出スイッチにより二つの部材が接近状態にあるか否か、例えば遊技機本体に対して前枠及び開閉扉が閉状態にあるか否かを検出できる。
【図面の簡単な説明】
【００１１】
【図１】本発明の第１の実施例を示すパチンコ機の斜視図である。
【図２】同横断面図である。
【図３】同前枠の上部の正面図である。
【図４】同開閉扉の斜視図である。
【図５】同パチンコ機の縦断面図である。
【図６】同開閉検出装置の平面断面図である。
【図７】同開閉検出装置の一部破断分解斜視図である。
【図８】同開閉検出装置の分解平面断面図である。
【図９】同開閉検出装置の動作説明図である。
【図１０】同開閉検出装置の動作説明図である。
【図１１】同ブロック図である。
【図１２】本発明の第２の実施例を示す開閉検出装置の平面断面図である。
【図１３】同開閉検出装置の動作説明図である。
【図１４】同開閉検出装置の動作説明図である。
【図１５】本発明の第３の実施例を示す開閉検出装置の平面断面図である。
【図１６】同開閉検出装置の動作説明図である。
【図１７】同開閉検出装置の動作説明図である。
【発明を実施するための形態】
【００１２】
以下、本発明の実施形態を図面に基づいて詳述する。図１〜図１１は本発明をパチンコ機に採用した第１の実施例を例示している。図１〜図５において、１は遊技機本体を構成する矩形状の外枠（第２部材）であり、この外枠１の前側に左右方向の一端側の上下一対のヒンジ２により前枠（第１部材）３が開閉自在に装着されている。外枠１は左右一対の縦枠材４と、その上下両端を左右に連結する上下一対の横枠材５とを備えている。
【００１３】
前枠３は矩形状であって、左右両側及び上側に外枠１の前面に対応して形成された側縁部６及び上縁部７と、外枠１内に嵌合する嵌合胴部８とを有し、各縁部６，７が外枠１に対して前側から当接する閉状態で、ヒンジ２と反対側の施錠手段により外枠１に施錠されている。嵌合胴部８内には遊技盤装着部９が形成され、その遊技盤装着部９に前側から遊技盤１０が着脱自在に嵌合し装着されている。
【００１４】
嵌合胴部８の裏側には、遊技盤１０を裏側から覆う裏カバー１１が着脱自在に装着されている。また遊技盤１０の前面には遊技領域へと遊技球を案内するガイドレール１２が装着されると共に、その遊技領域に図柄表示手段、入賞手段等の遊技部品（図示省略）が配置されている。なお、遊技盤１０により遊技部が構成されている。
【００１５】
前枠３の前側には、遊技領域を透視可能に遊技盤１０を前側から覆うガラス扉等の開閉扉（第３部材）１３と、この開閉扉１３の下側に配置された前面扉１４とが前枠３用のヒンジ２と同一側のヒンジ１５により開閉自在に装着されている。各ヒンジ２，１５は略同一軸心廻りに前枠３、開閉扉１３、前面扉１４を開閉するようになっている。
【００１６】
開閉扉１３は遊技領域に対応する窓孔を有する扉枠１６と、この扉枠１６に裏側から着脱自在に装着されたガラスユニット１７とを備えている。扉枠１６は枠板１８と、この枠板１８の前面に装着された化粧カバー１９と、枠板１８の裏側に装着された板金製の補強板２０とを有する。ガラスユニット１７は前後２枚のガラス板２１と、この２枚のガラス板２１を外周で保持する保持枠２２とを有する。
【００１７】
前面扉１４は前枠３の下部に配置された遊技球の発射手段等を前側から覆うもので、発射用の遊技球を貯留する供給皿２３、発射手段を作動させる発射ハンドル２４等が前側に設けられている。なお、開閉扉１３、前面扉１４は、ヒンジ１５と反対側の施錠手段により、前枠３の前面に当接する閉状態で施錠されている。
【００１８】
外枠１、前枠３、開閉扉１３は、ヒンジ２，１５を支点として前後方向（遠近方向）に相対移動自在であり、これらの上部側には、前枠３及び開閉扉１３の少なくとも一つが開状態にあるか、全てが閉状態にあるかを１個の検出スイッチ２５により検出可能な開閉検出装置２６が設けられている。
【００１９】
この開閉検出装置２６は、図５〜図１０に示すように前枠３の上縁部７に左右一対の案内手段２７を介して前側の付勢位置Ａ（図９参照）と後側の押圧位置Ｂ（図６、図１０参照）との間で前後方向に移動自在に設けられた支持台２８と、この支持台２８に着脱自在に固定された検出スイッチ２５と、各案内手段２７側に設けられ且つ支持台２８を付勢位置Ａへと付勢する付勢手段２９と、開閉扉１３に設けられ且つ開閉扉１３を前枠３側に閉じたときに支持台２８を付勢手段２９に抗して押圧位置Ｂへと押圧する押圧部３０とを備えている。
【００２０】
検出スイッチ２５は後方に突出して外枠１を感知するための接触式の感知子３１を有し、感知子３１は前枠３を開いた状態では外枠１を感知せず、前枠３を閉じた場合でも、支持台２８、検出スイッチ２５が付勢位置Ａにあるときには外枠１を感知せず、支持台２８、検出スイッチ２５が押圧位置Ｂにあるときに外枠１を感知するように構成されている。なお、検出スイッチ２５は感知子３１が外枠１を感知しないときにオン信号等の開信号を、感知したときに閉信号を夫々出力するようになっている。
【００２１】
前枠３の上縁部７は上下２枚の横板部３２と、この横板部３２の後端又は中間を上下に連結する縦板部３３とを有し、その左右方向の略中央部に、上下２枚の横板部３２の延長上で後方に突出する矩形筒状の保護部３４が設けられている。保護部３４には前後方向の中間で且つ上縁部７の縦板部３３よりも後方に突出する位置に取り付け部３５が一体に設けられ、この保護部３４内で取り付け部３５に案内手段２７、支持台２８、付勢手段２９、検出スイッチ２５、カバー３６等が組み込まれている。
【００２２】
検出スイッチ２５は本体部３７と、この本体部３７から出退自在に突出する感知子３１と、本体部３７内に設けられ且つ感知子３１を保護部３４の後端から後方へと突出方向に付勢するバネ３８と、本体部３７の感知子３１と反対側に設けられたコネクタ３９とを有し、支持台２８に着脱自在に取り付けられている。本体部３７には、その感知子３１側に鍔部４０が、左右両側に弾性片４１が夫々設けられている。
【００２３】
支持台２８は前側が開口する箱状に形成され且つ内部に検出スイッチ２５を収容する収容部４２と、この収容部４２の左右両側に設けられた被案内部４３とを有し、収容部４２の前面に当接してその内部の検出スイッチ２５を前側から覆うカバー３６が装着されている。収容部４２の後端壁６２には取り付け孔４４と係合孔４５とが形成されている。
【００２４】
検出スイッチ２５は、本体部３７が後端壁６２の取り付け孔４４に後側から挿入され、鍔部４０が後端壁６２に当接した状態で弾性片４１により後壁に着脱自在に固定されている。検出スイッチ２５の感知子３１は支持台２８、後端壁６２から後方に突出している。
【００２５】
カバー３６は後側が開口する箱状に構成され、収容部４２内に挿入されて係合孔４５に係脱自在に係合する左右一対の係合爪４６により、支持台２８に着脱自在に装着されている。カバー３６の前面は押圧部３０により押圧される被押圧部４７となっている。
【００２６】
案内手段２７は開口部４８の左右両側に設けられており、取り付け部３５から前側に突出する案内突起４９を有する。案内突起４９は支持台２８の被案内部４３に前後方向に摺動自在に挿通されており、この案内突起４９の後端に抜け止め部用のネジ５０により着脱自在に固定されている。被案内部４３は有底円筒状であり、この被案内部４３と取り付け部３５との間に付勢手段２９が介在されている。付勢手段２９は圧縮コイルバネ等の付勢バネ５１から成り、案内突起４９に套嵌されている。
【００２７】
カバー３６の被押圧部４７は上縁部７の前端よりも後側に入っている。従って、案内手段２７、支持台２８、検出スイッチ２５、カバー３６は上縁部７の前後幅内に収まっており、その上下の横板部３２により保護されている。
【００２８】
押圧部３０は開閉扉１３の被押圧部４７に対向して開閉扉１３の後端から後方へと突出する突起により構成されている。なお、押圧部３０は開閉扉１３の枠板１８と一体に形成され、補強板２０の孔を貫通して後側に突出している。
【００２９】
外枠１の上側の横枠材５には、前枠３側の保護部３４に対応して、後側へと凹入する凹入部５２が切欠き形成されており、前枠３を閉じたときにその保護部３４が凹入部５２に入るようになっている。凹入部５２内には感知子３１が接触する被感知部５３が平坦状に形成されている。
【００３０】
検出スイッチ２５は図１１に示すように払い出し制御基板５４を経由して主制御基板５５、枠用外部接続端子５６等に接続されている。払い出し制御基板５４は遊技球を払い出す払い出し手段を制御するためのものである。主制御基板５５は遊技盤１０側の遊技動作を制御するためのものであり、検出スイッチ２５から前枠３、開閉扉１３の開放を検出する開信号があったときに演出制御基板５７へと報知指令を出すようになっている。
【００３１】
演出制御基板５７は報知指令があったときに、ランプ、スピーカ等の報知手段５８により、その開放を報知するようになっている。枠用外部接続端子５６は検出スイッチ２５から前枠３、開閉扉１３の開放を検出する開信号があったときに外部の管理用コンピュータ等の管理装置５９へと開信号を送信するようになっている。
【００３２】
このような構成にすれば、１個の検出スイッチ２５により前枠３、開閉扉１３の開閉を検出することができ、構造を簡素化できる利点がある。即ち、前枠３、開閉扉１３が閉状態の場合には、前枠３の外周部が外枠１の前面に、開閉扉１３の外周部が前枠３の前面に夫々当接している。
【００３３】
この状態では図６に示すように、開閉扉１３の押圧部３０が支持台２８のカバー３６の被押圧部４７に当接し、支持台２８を付勢バネ５１に抗して前側に押圧し、支持台２８、検出スイッチ２５が押圧位置Ｂにある。このため検出スイッチ２５の感知子３１が外枠１の被感知部５３に接触して外枠１を感知している。そして、検出スイッチ２５から前枠３、開閉扉１３が共に閉状態にある旨の閉信号を主制御基板５５、枠用外部接続端子５６へと送信する。
【００３４】
前枠３を外枠１に対して閉じた閉状態において、開閉扉１３をヒンジ２廻りに開放すると、図９に示すように開閉扉１３が前枠３から前側へと離間して、前枠３と開閉扉１３との間に隙間ができ押圧部３０が開閉扉１３の被押圧部４７から前側へと離れる。そして、支持台２８、検出スイッチ２５が付勢バネ５１の付勢力によって、案内突起４９に沿って押圧位置Ｂから付勢位置Ａへと移動し、検出スイッチ２５の感知子３１がバネ３８によって押し戻されながらも外枠１の被感知部５３から離れるため、検出スイッチ２５が開閉扉１３の開放を検出する。
【００３５】
また開閉扉１３を前枠３に対して閉じた閉状態において、前枠３をヒンジ２廻りに開放すると、図１０に示すように前枠３が外枠１から前側へと離間して、外枠１と前枠３との間に隙間ができる。そして、支持台２８が開閉扉１３の押圧部３０により押圧されて押圧位置Ｂにあるにも拘わらず、検出スイッチ２５の感知子３１が外枠１の被感知部５３から離れてバネ３８によって押し戻されるため、検出スイッチ２５が前枠３の開放を検出する。
【００３６】
検出スイッチ２５が前枠３、開閉扉１３の開放を検出すると、そのオン信号等の開信号を払い出し制御基板５４を経由して、主制御基板５５、枠用外部接続端子５６へと送信する。そして、主制御基板５５から演出制御基板５７へと報知信号が送られ、ランプ等の報知手段５８により、前枠３又は開閉扉１３の開放を報知する。一方、枠用外部接続端子５６から管理装置５９へと開信号が送信されるので、管理装置５９側でも前枠３、開閉扉１
３の開放を把握できる。
【００３７】
従って、遊技者が前枠３又は開閉扉１３を不正に開放する不正行為があれば、１個の検出スイッチ２５により、その開放を確実に検出できる。そして、その事実を報知手段５８により報知できると共に、管理装置５９側でも管理できる。
【００３８】
また支持台２８に検出スイッチ２５を設ける一方、この支持台２８を一対の案内手段２７により移動自在に支持し、開閉扉１３の押圧部３０により支持台２８を介して検出スイッチ２５を押圧する構成を採用しているため、検出スイッチ２５を円滑に案内できると共に、検出スイッチ２５に無理な機械的負荷がかかるようなこともない。
【００３９】
前枠３に外枠１側へと突出する保護部３４を設け、この保護部３４の前側に案内手段２７、支持台２８、付勢手段２９、検出スイッチ２５を組み込むと共に、前枠３を閉じたときに保護部３４が入る凹入部５２を外枠１に設け、押圧部３０を開閉扉１３から突出して設けているため、前枠３の前後方向の寸法を小さく抑えつつ、保護部３４により案内手段２７、支持台２８、検出スイッチ２５等を保護できる。
【００４０】
保護部３４内の取り付け部３５から前側に突出して支持台２８の被案内部４３に摺動自在に挿通された案内突起４９により案内手段２７を構成し、取り付け部３５と支持台２８の被案内部４３との間に付勢バネ５１を設けているため、簡単な構造で支持台２８を確実に案内することができる。
【００４１】
また検出スイッチ２５を支持台２８の収容部４２に収容し、この収容部４２内の検出スイッチ２５を覆うことにより、検出スイッチ２５を確実に保護でき、しかも検出スイッチ２５に関係なく最適位置を押圧部３０により押圧できる。
【００４２】
図１２〜図１４は本発明の第２の実施例を例示する。この実施例では、保護部３４の前端側で且つ上下の横板部３２間に取り付け部３５が設けられ、保護部３４内の取り付け部３５の後側に案内手段２７、付勢手段２９、支持台２８、検出スイッチ２５、カバー３６等が逆向きに組み込まれている。
【００４３】
カバー３６は球面状その他の形状に構成された被押圧部４７を有し、その被押圧部４７が外枠１の凹入部５２内の押圧部３０により押圧されるようになっている。また検出スイッチ２５の感知子３１は上下の横板部３２間で前側に突出し、開閉扉１３から後側に突出する突部６３の後端の被感知部５３を感知するようにしている。
【００４４】
この場合には前枠３、開閉扉１３の閉状態では、図１２に示すようにカバー３６の被押圧部４７が外枠１の押圧部３０により付勢バネ５１に抗して押圧されて、支持台２８、検出スイッチ２５が押圧位置Ｂにあり、検出スイッチ２５の感知子３１が開閉扉１３の被感知部５３を感知している。
【００４５】
前枠３の閉状態で開閉扉１３をヒンジ２廻りに開放すると、図１３に示すように開閉扉１３が前枠３から前側へと離間して、前枠３と開閉扉１３との間に隙間ができ感知子３１が開閉扉１３の被感知部５３から前側へと離れる。このため支持台２８が外枠１の押圧部３０により押圧されて押圧位置Ｂにあるにも拘わらず、検出スイッチ２５の感知子３１が開閉扉１３の被感知部５３から離れて、検出スイッチ２５が前枠３の開放を検出する。
【００４６】
開閉扉１３の閉状態で前枠３をヒンジ２廻りに開放すると、図１４に示すように前枠３が外枠１から前側へと離間して、外枠１と前枠３との間に隙間ができるため、支持台２８、検出スイッチ２５が付勢バネ５１の付勢力によって押圧位置Ｂから付勢位置Ａへと移動し、検出スイッチ２５の感知子３１が開閉扉１３の被感知部５３から離れることになり、検出スイッチ２５が前枠３の開放を検出する。
【００４７】
図１５〜図１７は本発明の第３の実施例を例示し、非接触式の検出スイッチ２５を採用したものである。検出スイッチ２５は、発光素子６０とその光を受光する受光素子６１とにより構成された感知子３１を有し、外枠１の凹入部５２側に、発光素子６０から受光素子６１への光を遮断可能な板状その他の被感知部５３が設けられている。感知子３１は、発光素子６０、受光素子６１以外の素子を利用した近接スイッチでもよい。
【００４８】
このような場合にも、前枠３、開閉扉１３が閉状態であれば、図１５に示すように感知子３１の発光素子６０と受光素子６１との間に被感知部５３が進入するため、感知子３１がその被感知部５３を感知し、検出スイッチ２５が閉信号を出力する。
【００４９】
前枠３の閉状態で開閉扉１３が開放すると、図１６に示すように支持台２８が付勢バネ５１により付勢位置Ａへと移動する。また開閉扉１３の閉状態で前枠３が開放すると、図１７に示すように支持台２８が外枠１から前側に離間する。
【００５０】
このため共に被感知部５３が感知子３１の発光素子６０と受光素子６１との間から後方に外れて、受光素子６１が発光素子６０からの光を受光することになり、検出スイッチ２５が前枠３、開閉扉１３の開放を検出して開信号を出力する。
【００５１】
以上、本発明の実施例について詳述したが、本発明はこれらの実施例に限定されるものではなく、本発明の趣旨を逸脱しない範囲で種々の変更が可能である。各実施例では、外枠１に対して前枠３を開閉自在に装着し、前枠３に開閉扉１３を開閉自在に装着したパチンコ機等の弾球遊技機を例示しているが、外枠１、前枠３及び開閉扉１３以外の箇所でも同様に実施可能である。また筐体等の遊技機本体に前枠３を開閉自在に装着し、この前枠３に開閉扉１３を開閉自在に装着したスロットマシン等の遊技機にも採用可能である。
【００５２】
検出スイッチ２５、保護部３４等は前枠３の上部に限定されるものではなく、前枠３の側部や下部等の所定位置に設けるようにしてもよい。例えば、ヒンジ２とは反対側である錠側の側部に検出スイッチ２５等を設けた場合には、前枠３、開閉扉１３の開放状態を効果的に検出することができる。
【００５３】
更に遊技機本体、前枠３、開閉扉１３の三者の関係では、前枠３、開閉扉１３がヒンジ２，１５廻りに開閉するが、例えば、遊技盤１０の裏側に、遊技部品を内側から覆う保護カバーをヒンジ２により開閉自在に装着し、この保護カバーの点検窓を塞ぐカバーをヒンジにより開閉扉１３に枢着した箇所等に採用してもよい。
【００５４】
また中間の第１部材の両側に第２部材と第３部材とが遠近方向に移動自在に配置された構造でも、その第１部材に検出スイッチ２５、支持台２８等を設けることにより同様に実施可能である。検出スイッチ２５の本体部３７を案内手段２７により移動自在に設け、支持台２８を省略してもよい。また案内手段２７、支持台２８は他の構造でもよい。付勢手段２９は他のバネにより構成してもよい。
【符号の説明】
【００５５】
１  外枠（遊技機本体、第２部材）
３  前枠（第１部材）
１３  開閉扉（第３部材）
２５  検出スイッチ
２７  案内手段
２８  支持台
２９  付勢手段
３０  押圧部
３１  感知子
３４  保護部
３５  取り付け部
３６  カバー
４２  収容部
４３  被案内部
４７  被押圧部
４９  案内突起
５１  不正バネ
５２  凹入部
Ａ  付勢位置
Ｂ  押圧位置
【図１】
2010148910.tif 000003
【図２】
2010148910.tif 000004
【図３】
2010148910.tif 000005
【図４】
2010148910.tif 000006
【図５】
2010148910.tif 000007
【図６】
2010148910.tif 000008
【図７】
2010148910.tif 000009
【図８】
2010148910.tif 000010
【図９】
2010148910.tif 000011
【図１０】
2010148910.tif 000012
【図１１】
2010148910.tif 000013
【図１２】
2010148910.tif 000014
【図１３】
2010148910.tif 000015
【図１４】
2010148910.tif 000016
【図１５】
2010148910.tif 000017
【図１６】
2010148910.tif 000018
【図１７】
2010148910.tif 000019
【手続補正書】
【提出日】平成22年3月3日(2010.3.3)
【手続補正１】
【補正対象書類名】特許請求の範囲
【補正対象項目名】全文
【補正方法】変更
【補正の内容】
【特許請求の範囲】
【請求項１】
遊技機本体（１）の前側に左右方向の一端側のヒンジ（２）により開閉自在に配置された前枠（３）と、該前枠（３）の前側に前記ヒンジ（２）と同一側のヒンジ（１５）により開閉自在に配置された開閉扉（１３）とを備えた遊技機において、前記前枠（３）の上部の左右方向の略中央部に、前記前枠（３）及び前記開閉扉（１３）の少なくとも一つが開状態にあるか全てが閉状態にあるかを一つの検出スイッチ（２５）により検出する開閉検出装置（２６）を配置し、該開閉検出装置（２６）は上下の寸法に対して左右の寸法が長い横長状であることを特徴とする遊技機。
【手続補正２】
【補正対象書類名】明細書
【補正対象項目名】０００８
【補正方法】変更
【補正の内容】
【０００８】
本発明は、遊技機本体１の前側に左右方向の一端側のヒンジ２により開閉自在に配置された前枠３と、該前枠３の前側に前記ヒンジ２と同一側のヒンジ１５により開閉自在に配置された開閉扉１３とを備えた遊技機において、前記前枠３の上部の左右方向の略中央部に、前記前枠３及び前記開閉扉１３の少なくとも一つが開状態にあるか全てが閉状態にあるかを一つの検出スイッチ２５により検出する開閉検出装置２６を配置し、該開閉検出装置２６は上下の寸法に対して左右の寸法が長い横長状にしたものである。
【手続補正３】
【補正対象書類名】明細書
【補正対象項目名】０００９
【補正方法】削除
【補正の内容】